【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
互いに取り付けられる２部品の取り付け面にそれぞれ位置決め突起及び位置決め穴とを設け、前記２部品の取り付け時に前記位置決め突起及び位置決め穴とを嵌合させることで前記２部品を位置決めする位置決め構造において、
前記２部品のうちの一方の部品は、樹脂製の材料を用いて金型成型で作られており、また、前記一方の部品に設けた一方の取り付け面は、その取り付け面を作る金型の開閉方向に直交する方向に対して鋭角の角度内で傾斜する面となっており、
前記一方の取り付け面に設けた位置決め突起又は位置決め穴は、前記金型成型と同時に形成されており、また、相手側の位置決め穴又は位置決め突起に接する外面又は内面の形状が、前記一方の取り付け面に対する垂線に対して鋭角の角度内で傾斜するテーパ面を側面とする断面台形を回転対称にして作られる側面形状になっており、
前記金型の開閉方向に直交する方向に対する前記一方の取り付け面の傾斜角をα、前記垂直な方向に対する前記テーパ面の傾斜角をβとしたときに、β−α＞０の式を満足することを特徴とする位置決め構造。
【請求項２】
前記一方の取り付け面に設けた位置決め穴には、前記金型の開閉方向に平行な直線部を有する凹部がその底の輪郭から延長して設けられていることを特徴とする請求項１記載の位置決め構造。
【請求項３】
互いに取り付けられる２部品の取り付け面にそれぞれ位置決め穴を設け、前記２部品の取り付け時に前記位置決め穴同士を、別に作った位置決め突起で嵌合させることで前記２部品を位置決めする位置決め構造において、
前記２部品のうちの一方の部品は、樹脂製の材料を用いて金型成型で作られており、また、前記一方の部品に設けた一方の取り付け面は、その取り付け面を作る金型の開閉方向に直交する方向に対して鋭角の角度内で傾斜する面となっており、
前記位置決め突起は、円板状のフランジと、前記フランジの両面から相反する方向で、かつ前記フランジの中心を通る軸方向にそれぞれ突出して形成されている突起及び球面突起とを有して、全体が回転対称の形状となっており、
前記突起は、前記他方の取り付け面に設けた位置決め穴に嵌合し、
前記球面突起は、半径の長さ以下の高さ長をもつ球面で形成されていること、
また、前記一方の取り付け面に設けた位置決め穴は、前記球面突起に少なくとも３点以上で接触する斜面、又は前記球面突起と同じ半径で、前記球面突起の高さと同一の深さを持つ凹球面で形成されており、
さらに、前記フランジの両面のうちの球面突起を設けた面は、前記球面突起が前記位置決め穴に嵌合したときに、前記一方の取り付け面の所定の平面に面接触するように形成されていることを特徴とする位置決め構造。
【請求項４】
前記一方の部品は、プロジェクタに用いられる投射レンズを光軸方向の前後で２分割にした前方及び後方のレンズ群のうちの後方のレンズ群から射出する画像光の主光軸を鋭角又は鈍角に折り曲げ、折り曲げた光軸に沿って前記画像光を前記前方のレンズ群に入射させる光路変換部材を保持する光学系保持部材となっていることを特徴とする請求項１ないし３いずれか記載の位置決め構造。
【請求項５】
前記光学系保持部材の取り付け面には、前方のレンズ群を保持する前保持枠、又はその前保持枠を支持する中間部材が取り付けられ、
また、前記金型の開閉方向に対して垂直な面になっており、前記後方のレンズ群の一部又は全部を保持する後保持枠が取り付けられる基準面を前記光学系保持部材が備えていることを特徴とする請求項４記載の位置決め構造。
【手続補正２】
【補正対象書類名】明細書
【補正対象項目名】００１０
【補正方法】変更
【補正の内容】
【００１０】
上記問題点を解決するために、請求項１に係る発明の位置決め構造では、互いの取り付け面が位置決めされる２部品のうちの一方の部品が樹脂製の材料を用いて金型成型で作られており、また、前記一方の部品に設けた一方の取り付け面が、その取り付け面を作る金型の開閉方向（抜き方向）に直交する方向に対して鋭角の角度内で傾斜する面となっており、一方の取り付け面にアンダーカットにならないように一体に形成した位置決め突起又は位置決め穴を用いて位置決めを行う構造としている。つまり、前記一方の取り付け面に設けた位置決め突起又は位置決め穴は、前記金型成型と同時に形成されており、また、相手側の位置決め穴又は位置決め突起に接する外面又は内面の形状が、前記一方の取り付け面に対する垂線に対して鋭角の角度内で傾斜するテーパ面を側面とする断面台形を回転対称にして作られる側面形状になっており、前記金型の開閉方向に直交する方向に対する前記一方の取り付け面の傾斜角をα、前記垂直な方向に対する前記テーパ面の傾斜角をβとしたときに、β−α＞０の式を満足するようにしたものである。
【手続補正３】
【補正対象書類名】明細書
【補正対象項目名】００１１
【補正方法】変更
【補正の内容】
【００１１】
ところで、位置決め穴の成型精度を三次元測定器で測定する場合には、第１の取り付け面に対して垂直方向から顕微鏡で見て測定する。このとき、テーパの付いた凹部は深さによって径が変化するため、位置を精度良く測定することができないおそれがある。そこで、前記一方の取り付け面に設けた位置決め穴に、前記金型の開閉方向に平行な直線部を有する凹部をその底の輪郭から延長して設けるのが好適である。こうすれば、位置決め穴の先細の底が凹部によりさらに延長された凹みになるため、三次元測定器で測定してもハッキリと表れる。凹部としては、例えば外周が前記金型の開閉方向に平行な直線となる円柱状の凹部にするのが好適である。また、このような凹部を、位置決め突起を作る金型の埋め込み部に延長して設けると、金型の寸法を測定するのにも都合がよい。
【手続補正４】
【補正対象書類名】明細書
【補正対象項目名】００１２
【補正方法】変更
【補正の内容】
【００１２】
プロジェクタには、従来技術で説明したように、投射レンズを光軸方向の前後で２分割にした前方レンズ群及び後方レンズ群のうちの後方レンズ群から射出する画像光の光軸を鈍角に折り曲げて折り曲げた光軸に沿ってその画像光を前方レンズ群に入射させる、例えばプリズムやミラーなどの光路変換用の光学系を用いたものがある。このような光学系を保持する光学系保持部材には、前記後方レンズ群の一部又は全部を保持する後保持枠を取り付ける、前記金型の開閉方向に平行な基準面と、その基準面に対して鋭角又は鈍角の角度内で傾斜し、かつ、前方レンズ群を保持する前保持枠、又はその前保持枠を支持する中間部材を取り付ける取り付け面とが形成されている。基準面に直交する方向に対して傾斜する取り付け面を含む光学系保持部材を樹脂製の材料により金型成型で作る場合には、基準面に対して直交方向に開閉する移動型で基準面を作り、その開閉方向に直交する方向にスライドするスライドコアで取り付け面を作ればよい。
【手続補正５】
【補正対象書類名】明細書
【補正対象項目名】００１３
【補正方法】変更
【補正の内容】
【００１３】
また、請求項３に係る発明は、別個に作った位置決め突起を用いる発明である。位置決め突起を用いる場合には、位置決め突起を複雑な形状にすると、寸法精度が出難い。寸法精度を出すためには加工コストが高くつく。そこで、位置決め突起は、円板状のフランジと、フランジの両面から相反する方向で、かつ前記フランジの中心を通る軸方向にそれぞれ突出する突起及び球面突起とを形成して、全体を回転対称の形状で作くられている。突起は、他方の取り付け面に設けた位置決め穴に嵌合し、また、球面突起は、半径の長さ以下の高さ長をもつ球面で形成している。また、一方の取り付け面に設けた位置決め穴は、球面突起の外周に少なくとも３点以上で接触する斜面、又は前記球面突起と同じ半径で、その球面突起の高さと同一の深さを持つ凹球面で形成されている。また、フランジの両面のうちの球面突起を設けた面は、球面突起が位置決め穴に嵌合したときに、前記一方の取り付け面の所定の平面に面接触する。